(57)【要約】【課題】少ない枚数の用紙を綴じたステープルと多い枚数の用紙を綴じたステープルの両方を精度良く除去できるリムーバを提供する。【解決手段】リムーバ１００は、基台１に枢着された操作ハンドル２の先端側に設けられた差込片６によりステープルを除去する機能と、スロープ部３ａを有したスロープ部材３によりステープルを除去する機能を備える。これにより、操作ハンドル２の先端側に設けられた差込片６を持ち上げて、多い枚数の用紙を綴じたステープルを抜くことができる。さらに、スロープ部材３をスライドさせて、少ない枚数の用紙を綴じたステープルを抜くことができる。【選択図】図１
2011011322.tif 000002
【特許請求の範囲】
【請求項１】
対象物に綴じられたステープルを除去するリムーバであって、
基台と、
前記基台に枢着された操作ハンドルと、
前記操作ハンドルの先端側に設けられ、前記対象物に綴じられたステープルのクラウン部と該対象物の間に差し込まれる差込片と、
前記基台に設けられ、先端側から後端側に向けて高く形成されたスロープ部を有して、前記ステープルのクラウン部と前記対象物の間に差し込まれるスロープ部材と、
を備えることを特徴とするリムーバ。
【請求項２】
前記基台は二股形状に形成され、前記対象部を押える第１及び第２の押え部を有し、
前記スロープ部材は、前記第１の押え部と前記第２の押え部の間に設置され、
前記第１及び第２の押え部は夫々、前記対象物を押える底面側において前記スロープ部材が設置される側の辺がテーパー形状に形成された拾い込み部を有することを特徴とする請求項１に記載のリムーバ。
【請求項３】
前記第１及び第２の押え部の先端部と前記スロープ部材の先端部の位置が略同一に設定され、前記第１及び第２の押え部の先端部には、傾斜部が設けられていることを特徴とする請求項２に記載のリムーバ。
【発明の詳細な説明】
【技術分野】
【０００１】
本発明は、用紙などの対象物に綴じられたステープルを除去するリムーバに関するものである。
【背景技術】
【０００２】
従来、用紙などの対象物に綴じられたステープルを除去するリムーバには、大きく分けて２種類のタイプが提案されている。第１のタイプは、ステープルにより綴じた用紙の枚数が少ない、例えば用紙の枚数が２〜１０枚程度の場合に使用するスライド式のリムーバである。この場合には、１０号サイズのステープルを使用することが多い。スライド式のリムーバを使用する際には、リムーバの先端に固定されたヘラ形状の差込片を、用紙に綴じられたステープルのクラウン部と該用紙の間に差し込んで前方に押し込む。これにより、差込片のスロープ（勾配）に沿ってステープルを押し上げて、ステープルを用紙から除去することができる。
【０００３】
一方、第２のタイプとして、ステープルにより綴じた用紙の枚数が多い、例えば用紙の枚数が２０枚以上の場合に使用することが多い回動式のリムーバである。この場合には、例えば３号サイズのステープルが使用される。回動式のリムーバを使用する際には、基台に枢着された操作ハンドルの先端に固定されたヘラ形状の差込片を、用紙に綴じられたステープルのクラウン部と該用紙の間に差し込んで操作ハンドルを押し下げる。これにより、テコの原理を利用して差込片がステープルを持ち上げて、ステープルを用紙から除去することができる。
【０００４】
このような従来例に関連して特許文献１には、回動式のリムーバが開示されている。このリムーバは、二股状の紙押部を有する基台に軸承を設け、ステープル抜爪が先端に固定された操作ハンドルを前記軸承に枢軸により起伏自在に枢着されている。
【０００５】
また、特許文献２にはリムーバが開示されている。このリムーバは、一側が低く他側が高くなるスロープを形成するように、板金の両縁を折り曲げて形成される。両縁に形成されたスロープは、一方の縁の高さと他方の縁の高さを順次異ならせることで、ステープルの脚部の夫々を交互に押し上げることができる。
【先行技術文献】
【特許文献】
【０００６】
【特許文献１】実公昭３５−５３１７号公報
【特許文献２】実公昭３７−１５８０５号公報
【発明の概要】
【発明が解決しようとする課題】
【０００７】
ところで従来において、通常、２〜１０枚程度の用紙を綴じる場合には１０号サイズのステープルが使用され、２０枚以上の用紙を綴じる場合には３号サイズのステープルが使用されることが多かった。このため、２〜１０枚程度の用紙に綴じられた１０号サイズのステープルを除去することに適したスライド式のリムーバと、２０枚以上の用紙に綴じられた３号サイズのステープルを除去することに適した回動式のリムーバを適宜使い分けていた。
【０００８】
しかしながら近年、１０号サイズと３号サイズの間のサイズのステープルを使用して２枚〜４０枚の用紙を綴じる新ステープラが提案されている。この新ステープラは、綴じる用紙の枚数の範囲が拡大して２枚〜４０枚の用紙を綴じることができるが、リムーバは、通常１０枚までの用紙を綴じたステープルを除去することに適したスライド式と、２０枚以上の用紙を綴じたステープルを除去することに適した回動式に分かれていた。このため、例えば新ステープラで２枚程度の用紙を綴じたステープルを除去する場合にはスライド式のリムーバを使用し、新ステープラで４０枚程度の用紙を綴じたステープルを除去する場合には回動式のリムーバを使用し、２つのリムーバを使い分ける必要があり不便を感じていた。
【０００９】
仮に、２〜１０枚程度の用紙を綴じた１０号サイズより大きいサイズのステープルを回動式のリムーバで除去すると、ステープルの脚部を起こす際に用紙の耐える強度が不足して、脚部が綴じた状態で持ち上げられて用紙が破れてしまうことがあった。また、４０枚程度の用紙を綴じた１０号サイズよりも大きいサイズのステープルをスライド式のリムーバで除去すると、ステープルが頑丈に用紙に綴じられているので、リムーバを前方に押し込むことが難しくてステープルを除去できないことがあった。
【００１０】
そこで、本発明はこのような従来例に係る問題を解決したものであって、少ない枚数の用紙を綴じたステープルと多い枚数の用紙を綴じたステープルの両方を精度良く除去できるリムーバを提供することを目的とする。
【課題を解決するための手段】
【００１１】
上述した課題を解決するために、本発明に係るリムーバは、対象物に綴じられたステープルを除去するリムーバであって、基台と、前記基台に枢着された操作ハンドルと、前記操作ハンドルの先端側に設けられ、前記対象物に綴じられたステープルのクラウン部と該対象物の間に差し込まれる差込片と、前記基台に設けられ、先端側から後端側に向けて高く形成されたスロープ部を有して、前記ステープルのクラウン部と前記対象物の間に差し込まれるスロープ部材と、を備えるものである。
【００１２】
本発明に係るリムーバにおいて、操作ハンドルの先端側に設けられた差込片は、対象物に綴じられたステープルのクラウン部と該対象物の間に差し込まれ、操作ハンドルの押下と共に持ち上げられる。これにより、ステープルを抜くことができる。
【００１３】
一方、基台に設けられたスロープ部材は、先端側から後端側に向けて高く形成されたスロープ部を有し、ステープルのクラウン部と対象物の間に差し込まれる。スロープ部材をスライド移動させることにより、スロープ部に沿ってステープルを抜くことができる。
【発明の効果】
【００１４】
本発明に係るリムーバによれば、基台に枢着された操作ハンドルの先端側に設けられた差込片によりステープルを除去すると共に、スロープを有したスロープ部材によりステープルを除去する。
【００１５】
この構成によって、操作ハンドルの先端側に設けられた差込片を持ち上げて、多い枚数の用紙を綴じたステープルを抜くことができる。さらに、スロープ部材をスライド移動させて、少ない枚数の用紙を綴じたステープルを抜くことができる。このように、１台のリムーバによって、多い枚数の用紙を綴じたステープルと少ない枚数の用紙を綴じたステープルの両方を精度良く除去できる。
【図面の簡単な説明】
【００１６】
【図１】Ａ及びＢは、リムーバ１００の構成例を示す斜視図である。
【図２】Ａはリムーバ１００の構成例を示す側面図であり、Ｂはリムーバ１００の構成例を示す背面図である。
【図３】Ａはリムーバ１００の構成例を示す上面図であり、Ｂはリムーバ１００の構成例を示すＸ−Ｘ矢視断面図である。
【図４】リムーバ１００の組立例を示す斜視図である。
【図５】Ａはスロープ部材３の機能例を示す上面図であり、Ｂはスロープ部材３の機能例を示す側面図である。
【図６】Ａ及びＢは、リムーバ１００の回動機構によるステープル除去例を示す図である。
【図７】Ａ及びＢは、リムーバ１００のスライド機構によるステープル除去例を示す図である。
【図８】基台１の拾い込み部１ｃ，１ｃの機能例を示す図である。
【発明を実施するための形態】
【００１７】
続いて、図面を参照しながら本発明に係るリムーバについて説明する。図１〜図３に示すリムーバ１００は、用紙などの対象物に綴じられたステープルを除去するものである。図１Ａに示すリムーバ１００は、基台１、操作ハンドル２及びスロープ部材３を備えている。基台１は二股形状に形成され、用紙を押える第１の押え部１ａ及び第２の押え部１ｂを有している。
【００１８】
第１の押え部１ａと第２の押え部１ｂの間には、スロープ部材３が設置されている。スロープ部材３は板金の両側を略直角に折り曲げて形成され、スロープ部３ａ及び先端部３ｂを有している。スロープ部材３の先端部３ｂは半円板状に形成され、先端に行く程、用紙とステープルの間に入り易いように薄肉化されている。この形状により、用紙に綴じられたステープルのクラウン部と該用紙の間にスロープ部材３の先端部３ｂを差し込むことが容易になる。
【００１９】
スロープ部３ａは、先端部３ｂから後端側に向けて高くなるスロープ（勾配）を有して形成されている。これにより、スロープ部材３がステープルに差し込まれた状態でスロープ部材３を押し込む方向にスライドさせると、ステープルがスロープ部３ａに沿って徐々に持ち上げられる。これにより、ステープルを用紙から除去することができる。
【００２０】
操作ハンドル２は、枢軸４により基台１に起伏自在に枢着されている。この例で、操作ハンドル２は、枢軸４に装着されたねじりバネ５により起立方向に付勢されている。図１Ｂに示すように操作ハンドル２の先端側には差込片６が設けられている。この差込片６は、用紙に綴じられたステープルのクラウン部と該用紙の間に差し込まれる。
【００２１】
差込片６がステープルのクラウン部と用紙の間に差し込まれた状態で操作ハンドル２を押下すると、差込片６が枢軸４を中心にして回動してステープルを持ち上げて用紙から抜く。
【００２２】
図２Ｂの背面図に示すようにリムーバ１００の押え部１ａ，１ｂは夫々、用紙を押える底面側においてスロープ部材３が設置される側の辺がテーパー形状に形成された拾い込み部１ｃ，１ｃを有している。例えば、用紙に綴じられたステープルをスロープ部材３により除去する際に、テーパー形状の形成された拾い込み部１ｃ，１ｃにより、用紙を撓ませることができる。これにより、用紙にかかる無理な力を逃がすことができるので、ステープルを除去する際に用紙が破けることを防止できるようになる。
【００２３】
図３Ａに示すように押え部１ａ，１ｂの先端部１ｅ，１ｅとスロープ部材３の先端部３ｂの位置が略同一に設定されている。これは、用紙に綴じられたステープルをスロープ部材３により除去する場合に、ステープルがスロープ部３ａに沿って徐々に持ち上げられる際に、ステープルと共に持ち上げられる用紙を効果的に押さえ込むためである。
【００２４】
押え部１ａ，１ｂの先端部１ｅ，１ｅには、図２Ｂに示す傾斜部１ｄ，１ｄが設けられている。この傾斜部１ｄ，１ｄは、用紙面に対して傾斜して設けられている。用紙に綴じられたステープルのクラウン部と用紙の間にスロープ部材３の先端部３ｂを差し込む場合に、通常、用紙面に対して斜め方向からスロープ部材３をステープルと用紙の間に差し込む。このとき、押え部１ａ，１ｂの先端部１ｅ，１ｅには傾斜部１ｄ，１ｄが設けられているので、該先端部１ｅ，１ｅが用紙に当接しない。これにより、スロープ部材３の先端部３ｂをステープルと用紙の間に容易に差し込むことができる。
【００２５】
図３Ｂの断面図に示すように操作ハンドル２は、枢軸４により基台１に起伏自在に枢着され、枢軸４に装着されたねじりバネ５により起立方向に付勢されている。操作ハンドル２を押下すると、操作ハンドル２の先端に設けられた差込片６が枢軸４を中心にして回動する。操作ハンドル２を押下する力を解放すると、操作ハンドル２は、ねじりバネ５の付勢力により図３Ｂに示す位置に復帰する。
【００２６】
続いて図４を参照してリムーバ１００の組立例について説明する。図４に示す差込片６の頭部６ａを操作ハンドル２の溝部２ｂ（図３Ｂ参照）に挿入する。また、筒状のロッド８をリンク部材９の孔部９ｂ，９ｂに挿入すると共に、ロッド８を操作ハンドル２のプレート２ａの孔部２ｃに挿入する。筒状のロッド８は孔部９ｂ，９ｂに挿入後、スロープ部材３の取付枠３ｅの間に挟持されて抜け止めされる。ロッド８は差込片６の本体部６ｂを支持している。これにより、差込片６を操作ハンドル２に固定することができる。
【００２７】
スロープ部材３の取付枠３ｅにはバーリング加工された軸承３ｃ，３ｃが設けられている。取付枠３ｅの内部にリンク部材９及びねじりバネ５を配置して、取付枠３ｅの軸承３ｃ，３ｃ、リンク部材９の孔部９ａ，９ａ及びねじりバネ５に枢軸４を挿通する。
【００２８】
次に、リンク部材９を介して操作ハンドル２が係合されたスロープ部材３の取付枠３ｅを基台１に取り付ける。例えば、基台１の突起部１ｆ，１ｆ間で取付枠３ｅの軸承３ｃ，３ｃを押圧して挟持する。さらに、取付枠３ｅのネジ孔３ｄと基台１の不図示のネジ孔にネジ７を螺合して基台１にスロープ部材３を固定する。基台１の押え部１ａ，１ｂの底面側にマグネット１３を夫々取り付ける。このマグネット１３は、除去したステープルを集める際に利用する。最後に、底面カバー１２の複数の突起部１２ａを基台１の不図示の穴部に嵌合してリムーバ１００の組み立てが完成となる。
【００２９】
続いて図５を参照してスロープ部材３の構成例および機能例について説明する。図５Ａに示すスロープ部材３の幅は、先端部３ｂから後端部３ｆに向けて太く形成されている。これは、ステープル１０，１１に先端部３ｂを挿し込み易くすると共に、ステープル１０，１１をスロープ部材３に適合させるためである。
【００３０】
図５Ａ及び図５Ｂに示すスロープ部材３は、１０号サイズのステープル１０と、１０号と３号の間のサイズのステープル１１を除去した状態を示している。この例で、１０号サイズのステープル１０は綴じ枚数１０枚程度を想定し、クラウン部１０ａの長さが約９．５ｍｍに規定され、脚部１０ｂの長さが約５．０ｍｍに規定されている。１０号と３号の間のサイズのステープル１１は綴じ枚数４０枚程度を想定し、クラウン部１１ａの長さが約１１．５ｍｍに規定され、脚部１１ｂの長さが約６．０ｍｍに規定されている。
【００３１】
用紙に綴じたステープル１０のクラウン部１０ａと用紙の間にスロープ部材３の先端部３ｂが差し込まれてスロープ部材３が矢印方向Ｑ１に押し込まれると、スロープ部材３は、スロープ部３ａの位置Ｐ１でステープル１０を略完全に抜く。このとき、スロープ部材３の幅とステープル１０のクラウン部１０ａの長さが略等しいのでステープル１０がスロープ部材３に適合し、ステープル１０の挙動を安定させることができる。
【００３２】
また、用紙に綴じたステープル１１のクラウン部１１ａと用紙の間にスロープ部材３の先端部３ｂが差し込まれてスロープ部材３が矢印方向Ｑ１に押し込まれると、スロープ部材３は、スロープ部３ａの略中央の位置Ｐ２でステープル１１を略完全に抜く。このとき、スロープ部材３の幅とステープル１１のクラウン部１１ａの長さが略等しいのでステープル１１がスロープ部材３に適合し、ステープル１１の挙動を安定させることができる。なお、スロープ部３ａは、１０号と３号の間のサイズのステープル１１よりもサイズの大きなステープルにも対応できるように余剰を有している。
【００３３】
続いて図６を参照して回動機構によるステープルの除去例について説明する。図６Ａに示す用紙束３０は５〜４０枚程度の用紙から成り、この用紙束３０には１０号と３号の間のサイズのステープル１１が綴じられている。ユーザは、操作ハンドル２を把持してステープル１１のクラウン部１１ａと用紙束３０の間に差込片６を差し込む。
【００３４】
ステープル１１と用紙束３０の間に差込片６を差し込んだ後、ユーザは、操作ハンドル２を押下げる。操作ハンドル２を押下げると、基台１が用紙束３０を押さえ込むと共に、図６Ｂに示すように差込片６が枢軸４（図３Ｂ参照）を中心にして回動して起き上がり、ステープル１１を用紙束３０から抜く。このとき、差込片６は、挟持部９ｃと協働してステープル１１を挟持する。このようにして、ステープル１１を用紙束３０から除去する。
【００３５】
続いて図７を参照してスライド機構によるステープルの除去例について説明する。図７Ａに示す用紙束３１は２〜４枚程度の用紙から成り、１０号と３号の間のサイズのステープル１１が綴じられている。ユーザは、基台１を掴んでステープル１１のクラウン部１１ａと用紙束３１の間にスロープ部材３の先端部３ｂを差し込む。このとき、用紙面に対して斜め方向からスロープ部材３の先端部３ｂをステープル１１と用紙束３１の間に差し込む。この場合、押え部１ａ，１ｂの先端部１ｅ，１ｅには傾斜部１ｄ，１ｄ（図２Ｂ参照）が設けられているので、該先端部１ｅ，１ｅが用紙束３１に当接しない。これにより、ステープル１１と用紙束３１の間にスロープ部材３の先端部３ｂを容易に差し込むことができる。
【００３６】
ステープル１１と用紙束３１の間にスロープ部材３の先端部３ｂを差し込んだ後、ユーザは、スロープ部材３をスライドさせて押し込む。スロープ部材３を押し込むと、基台１の押え部１ａ，１ｂが用紙束３１を押さえ込むと共に、図７Ｂに示すようにスロープ部材３は、スロープ部３ａに沿ってステープル１１を押し上げてステープル１１を用紙束３１から抜く。このようにして、ステープル１１を用紙束３１から除去する。
【００３７】
図８に示すリムーバ１００は、用紙束３１に綴じられたステープル１１をスロープ部材３により除去する過程を背面方向から示している。この例で、用紙束３１に綴じられたステープル１１をスロープ部材３により除去する際に、図８に示すようにテーパー形状に形成された基台１の拾い込み部１ｃ，１ｃにより、ステープル１１と共に持ち上げられた用紙束３１を撓ませることができる。これにより、用紙束３１にかかる無理な力を逃がすことができるので、ステープル１１を除去する際に用紙束３１が破けることを防止できるようになる。
【００３８】
このように、本発明に係るリムーバ１００によれば、基台１に枢着された操作ハンドル２の先端側に設けられた差込片６によりステープルを除去すると共に、スロープ部３ａを有したスロープ部材３によりステープルを除去する。
【００３９】
この構成によって、操作ハンドル２の先端側に設けられた差込片６を持ち上げて、多い枚数の用紙を綴じたステープルを抜くことができる。さらに、スロープ部材３をスライド移動させて、少ない枚数の用紙を綴じたステープルを抜くことができる。このように、１台のリムーバ１００によって、多い枚数の用紙を綴じたステープルと少ない枚数の用紙を綴じたステープルの両方を精度良く除去できる。
【産業上の利用可能性】
【００４０】
本発明は、用紙などの対象物に綴じられたステープルを除去するリムーバに適用して極めて好適である。
【符号の説明】
【００４１】
１・・・基台、１ａ・・・第１の押え部、１ｂ・・・第２の押え部、１ｃ・・・拾い込み部、１ｄ・・・傾斜部、２・・・操作ハンドル、３・・・スロープ部材、３ａ・・・スロープ部、６・・・差込片、１０，１１・・・ステープル、１００・・・リムーバ
【図１】
2011011322.tif 000003
【図２】
2011011322.tif 000004
【図３】
2011011322.tif 000005
【図４】
2011011322.tif 000006
【図５】
2011011322.tif 000007
【図６】
2011011322.tif 000008
【図７】
2011011322.tif 000009
【図８】
2011011322.tif 000010